(57)【要約】【課題】爪に装飾を施す店舗内にて発生する刺激臭を、店舗内に拡散させることなく解消し、店員及び来店者が前記刺激臭に起因して不快感を催すことがなく、快適な店舗内の環境を提供することができる排気システムを提供する。【解決手段】店舗内にダクト５ｂと、開口部３を有するカウンタ１とを備え、前記開口部３は、前記ダクト５ｂの吸入口となっている。また、前記開口部３には、活性炭を成分として含む第１フィルタ２１と、水分を十分に含む不織布からなる第２フィルタ２２とが取り付けられている。更に、前記開口部３の上部を覆うように、チャネル形状のカバーが取り付けられている。爪を装飾する作業は、カバー１１内で行うため、カバー内で発生した刺激臭を含む空気は、カバー外へ拡散することなく開口部３から吸入され、ダクト５ｂを通じて店舗外へ排出される。【選択図】　　　　　図５
2004069187.tif 000002
【特許請求の範囲】
【請求項１】
爪に装飾を施す店舗内に設置されるダクトと、天板に開口部を有する前記装飾作業用の作業台とを備え、
前記開口部は、前記ダクトの吸入口をなし、
前記開口部から吸入された前記作業台近傍の空気が、前記ダクトを通じて店舗外へ排出される構成となっていることを特徴とする排気システム。
【請求項２】
前記開口部には、空気を浄化するためのフィルタが取り付けられていることを特徴とする請求項１に記載の排気システム。
【請求項３】
前記フィルタは、活性炭及び水分のうちの何れか一方又は両方を成分として含んでいることを特徴とする請求項２に記載の排気システム。
【請求項４】
前記開口部には、該開口部近傍の空気の拡散を防止するための光透過性材料からなるカバーが取り付けられていることを特徴とする請求項１乃至の何れかに記載の排気システム。
【発明の詳細な説明】
【０００１】
【発明の属する技術分野】
本発明は、来店者に爪の装飾を施すための店舗において、店舗内の空気の排気及び浄化を行うための排気システムに関する。
【０００２】
【従来の技術】
近年、いわゆるスカルプチャーネイル、マニキュアなどの爪に関する装飾を生業とする店舗が各地に設けられている。各店舗には、装飾作業を行うためのテーブル又はカウンター等の作業台が設置されており、来店者と店員とが前記作業台を挟んで向かい合って爪の装飾作業を行う。
【０００３】
ところで、例えばスカルプチャーネイルを行う場合、粉末状のアクリルパウダーを、アセトンなどの溶剤に溶かして溶液を生成し、生成した溶液を来店者の爪に塗布すると共に、筆を用いて適宜整形する。整形後は溶液が乾燥するまでの間待機し、乾燥し終えると再び溶液を爪に塗布して整形する、という工程を繰り返す。従って、全工程が完了するまでに通常は数時間を要する。しかし、溶剤として用いるアセトンは、独特の刺激臭を発するため、店舗内には前記刺激臭が充満してしまう。また、同様に、店舗内でマニキュアを施す場合も刺激臭が充満し、来店者及び店員に不快感を催させることがあるという問題があった。そこで、従来、天井又は壁面などに取り付けられた換気扇により、店舗内に充満する刺激臭を含んだ空気を排気することとしている。
【０００４】
【発明が解決しようとする課題】
しかしながら、刺激臭の発生源は店員及び来店者の間近であるのに対し、換気扇は刺激臭の発生源から離隔した天井又は壁面に取り付けられているため、店員及び来店者は、店舗内にて刺激臭から完全に逃れることはできない。従って、天井又は壁面に取り付けられた換気扇による排気は、問題を解決するための有効な手段とはなっていない。
【０００５】
本発明は、上述した如くの事情に鑑みてなされたものであり、店舗内で発生する刺激臭を、店舗内に拡散させることなく解消し、店員及び来店者が前記刺激臭に起因して不快感を催すことがなく、快適な店舗内の環境を提供することができる排気システムを提供することを目的とする。
【０００６】
【課題を解決するための手段】
上述した本発明は、爪の装飾に関する店舗内に設置されるダクトと、天板に開口部を有する装飾作業用のテーブル又はカウンターなどの作業台とを備え、前記開口部は、前記ダクトの吸入口をなし、前記開口部から吸入された前記作業台近傍の空気が、前記ダクトを通じて店舗外へ排出される構成となっていることを特徴とする。
【０００７】
従って、作業時に発生する刺激臭は店舗内に拡散することなく、刺激臭の発生源の間近にある作業台の開口部から吸入され、ダクトを通じて店舗外へ排気されるため、店員及び来店者が前記刺激臭を嗅ぐことがほとんどなくなり、不快感を催させることもなく、店舗内に快適な環境を提供することができる。
【０００８】
また、上述した本発明は、作業台の開口部に、空気を浄化するためのフィルタが取り付けられていることを特徴とする。
【０００９】
従って、発生した刺激臭を含む空気を、前記フィルタにて浄化することができ、店舗外へ排出される空気に含まれる刺激臭の含有量を低減させることができる。
【００１０】
また、上述した本発明は、前記浄化用のフィルタが、活性炭及び水分のうちの何れか一方又は両方を成分として含んでいることを特徴とする。
【００１１】
例えば、粉末状又は顆粒状の活性炭を詰めたシート状のフィルタ、及び、不織布に水分を含ませたフィルタなどを浄化用のフィルタとして用いる。活性炭は一般的に空気を浄化することができる性質を有し、また、水分は、スカルプチャーネイルに用いられるアセトンを多く吸収することができる性質を有している。従って、特に爪の装飾を行うような店舗で発生する刺激臭を含む空気有効に浄化することができる。
【００１２】
更に、上述した本発明は、前記開口部に、該開口部近傍の空気の拡散を防止するための光透過性のカバーが取り付けられていることを特徴とする
例えば、ガラス又はアクリルなどの光透過性材料でチャネル形状に成型したカバーを、前記開口部に被せるように取り付ける。店員及び来店者は、チャネル形状をなすカバーの２つの開口から夫々手を入れて装飾作業を行う。従って、作業時に発生する刺激臭の拡散を更に有効に防止することができ、光透過性の材料を用いることにより視覚的に作業の支障となることもない。
【００１３】
【発明の実施の形態】
以下、本発明をその実施の形態を示す図面を参照しながら具体的に詳述する。図１は、本発明に係る排気システムを店舗内に設置した場合の実施の形態を示す平面図である。図中１は、店舗内に設けられた長寸のカウンタであり、該カウンタ１により、店舗内は、店員側と来店者側とに区分けされている。前記カウンタ１の上面には、コーリライト（人工大理石）製又はガラス製の天板２が張られており、更に、カウンタ１における来店者側は、表面が革張りとなっている。店員と来店者とは、前記カウンタ１を挟んで向かい合って位置し、スカルプチャーネイルなどの爪の装飾作業を行う。
【００１４】
カウンタ１の長手方向一端部における店員側には、断面が矩形のダクトカバー４により覆われたダクト５ａの一端部が、カウンタ１に対し水平面内にて直交する向きに取り付けられている。該ダクト５ａの他端部は店舗外へ向けられており、該他端部には、清浄ユニット６を介し、排気用のファン７が取り付けられている。
【００１５】
図２は、天板２及びダクトカバー４を取り外した場合の前記排気システムの構成を示す平面図である。図示する如く、天板２を取り外したカウンタ１内部には、角管状のダクト５ｂが設置されており、チャンバ９を介して前記ダクト５ａと連接されている。
【００１６】
また、図１に示すように、前記天板２における幅方向略中心位置には、長方形状の第１開口部３ａが、カウンタ１の長手方向に等間隔をなして複数（図１では、３個）設けられている。同様に、図２に示すように、ダクト５ｂにおける幅方向略中心位置には、前記第１開口部と比して若干小さめの長方形状の第２開口部３ｂが、カウンタ１の長手方向に等間隔をなして複数（図２では、３個）設けられている。前記第１開口部３ａ及び第２開口部３ｂは、天板２がカウンタ１に取り付けられている状態にてその開口部分が一致し、開口部３を形成している。従って、ファン７を駆動することにより、カウンタ１周辺の空気は、開口部３からダクト５ｂ内部へ吸入され、チャンバ９及びダクト５ａを通じて店舗外へと排出される。
【００１７】
図３は、前記排気システムの構成を示すカウンタ１の裏面一部断面図であり、図４は、前記排気システムの構成を示すカウンタ１の側面断面図である。なお、本実施の形態では、来店者側からカウンタ１を臨む向きを正面向きとし、逆に、店員側からカウンタ１を望む向きを裏面向きとする。カウンタ１の下部には、開口部３が設けられている位置から離れた位置に、キャスター付きのラック１２が備えられており、店員が装飾作業にて用いる備品が備えられている。また、上面及び両側面が光透過性の材料で構成され、正面側及び裏面側が開放されたチャネル形状のカバー１１が、開口部３を囲むように設けられている（図１及び図２には示さず）。従って、カバー１１により囲まれる空間内に存在する空気は、カバー１１外へ拡散することなく、開口部３からダクト５ａへ効率よく吸入される。
【００１８】
なお、カバー１１はカウンタ１に対して固定的に取り付けられる他、着脱可能に取り付けるようにしてもよく、また、載置するだけでもよい。また、カバー１１はチャネル形状である必要は必ずしもなく、半円形状など、他の形状であってもよい。
【００１９】
また、ダクト５ｂを通過する空気が吸入される開口部３には、複数の孔が設けられたパンチングプレート８が被せられ、更に、該パンチングプレート８の下方には、吸入される空気を浄化するためのフィルタ２３と、開口部３から吸入される空気の流量を調整するためのスライドダンパー２０とが取り付けられている。
【００２０】
図５は、開口部３の周辺を拡大して示した模式的な裏面断面図である。前記パンチングプレート８は、天板２に設けられた第１開口部３ａと略同一形状をなす長方形状であり、前記第１開口部３ａの縁に側部が架けられて取り付けられている。前記第１開口部３ａに比して若干小さく形成されているダクト５ｂに設けられた第２開口部３ｂの縁には、前記スライドダンパ２０が、その側部が架けられることにより取り付けられている。
【００２１】
また、前記スライドダンパ２０の上には、活性炭を成分とする第１フィルタ２１と、水分を十分に含んだ不織布からなる第２フィルタ２２とが積載されている。従って、開口部３から吸入される空気は、パンチングプレート８が有する複数の孔を通過し、第１フィルタ２１及び第２フィルタ２２を経てスライドダンパ２０を通過することにより、ダクト９へと通流する。
【００２２】
なお、前記第１フィルタ２１及び第２フィルタ２２の夫々は、カウンタ１から着脱可能とし、適宜取り替えるようにする。また、フィルタ２３としては第１フィルタ２１及び第２フィルタ２２の他、アセトンの刺激臭を有効に除去できるものであれば他のものでもよく、また、店舗内にて用いる溶剤等の臭気発生源に応じて最適なものを用いるのが望ましい。
【００２３】
次に、本実施の形態に係る排気システムを使用し、例えばスカルプチャーネイルを行うときに発生する刺激臭を含む空気を排気する場合について説明する。初めに、店員及び来店者はカウンタ１を挟んで向かい合って位置し、店員は裏面側から、来店者は正面側から、夫々の手を透明の前記カバー１１内へ入れて作業を行う。即ち、店員は、カバー１１内でアクリルパウダーをアセトンに溶かして溶液を生成し、生成した溶液をその場で来店者の爪に塗布し、続いて筆を用いて適宜整形する。来店者は、手をカバー１１内に入れた状態で、爪に塗布された溶液を乾燥させるべく待機する。溶液が乾燥し終えると再び店員は溶液を塗布し、以下、この工程を繰り返す。なお、前記カバー１１は光透過性の材料を用いて作られているため、装飾作業をするに際して視覚的な支障は発生しない。
【００２４】
この間、排気システムが備えるファン７は駆動しており、カバー１１が被せられた開口部３からは、周辺の空気が吸入される。ところで、開口部３にはカバー１１が被せられているため、カバー１１内の空気のほとんどは、カバー１１外部へ拡散することなく開口部３から吸入される。従って、店員及び来店者が前述した如くカバー１１内にて装飾作業を行うことにより、アセトンが発する刺激臭を含む空気のほとんどは、開口部３から吸入されることとなる。
【００２５】
また、開口部３から吸入された空気は、水分を含んだ不織布からなる第２フィルタ２２を通過する。ここで、アセトンは水溶性であり、比較的水に溶けやすい性質を有することから、刺激臭を含んだ空気が前記第２フィルタ２２を通過することにより、大部分のアセトン成分が除去される。また、活性炭を成分として含む第１フィルタ２１を通過することにより、前記空気は更に浄化され、スライドダンパ２０を通じてダクト５ｂへと通流する。
【００２６】
このようにしてアセトン成分の大部分が除去され、浄化された空気は、ダクト５ｂ、チャンバ９、及びダクト５ａを通じ、清浄ユニット６にて更に浄化されて屋外へと排出される。
【００２７】
以上に説明した如く、本実施の形態に係る排気システムによれば、爪の装飾を行う店舗内にダクト５ａ，５ｂが設置され、カウンタ１に設けられた開口部３から吸入された空気は、ダクト５ｂ、チャンバ９、及びダクト５ａを介して店舗外へ排出されるように構成している。従って、スカルプチャーネイルなど、爪の装飾を行う際に発する刺激臭を含む空気が、店舗内に充満するのを抑制し、効率的に排気することができる。
【００２８】
また、開口部３の夫々には活性炭を成分とする第１フィルタ２１と水分を含む不織布からなる第２フィルタとが設けられている。従って、特にアセトンから発せられる刺激臭を有効に除去することができ、店舗内の空気の浄化及び店舗外へ排出される空気の浄化を共に行うことができる。
【００２９】
また、ダクト５ａ，５ｂを通じて空気を通流させるためのファン７は、ダクト５ａの店舗外側に設けているため、複数設けられている開口部３の夫々にてファン７を設ける必要がなく、設備投資に要する費用を削減することができる。
【００３０】
また、夫々の開口部３の上部には、カバー１１が取り付けられているため、爪の装飾作業を該カバー１１内で行うことにより、作業時に発生する刺激臭を含む空気が店舗内へ拡散するのを抑制することができ、効率的に開口部３から吸入することができる。また、カバー１１は光透過性の材料を用いて作られているため、作業時において視覚的に障害となることがない。
【００３１】
【発明の効果】
本発明によれば、店舗内で発生する刺激臭を、店舗内に拡散させることなく吸入して浄化，排気し、店員及び来店者が前記刺激臭に起因して不快感を催すことがなく、快適な環境を提供することができる排気システムを提供することができる。
【図面の簡単な説明】
【図１】本発明に係る排気システムを店舗内に設置した場合の実施の形態を示す平面図である。
【図２】天板及びダクトカバーを取り外した場合の本実施の形態に係る排気システムの構成を示す平面図である。
【図３】本実施の形態に係る排気システムの構成を示すカウンタの裏面一部断面図である。
【図４】本実施の形態に係る排気システムの構成を示すカウンタの側面断面図である。
【図５】開口部の周辺を拡大して示した模式的な裏面断面図である。
【符号の説明】
１　カウンタ
２　天板
３　開口部
３ａ　第１開口部
３ｂ　第２開口部
４　ダクトカバー
５ａ，５ｂ　ダクト
６　清浄ユニット
７　ファン
８　パンチングプレート
９　チャンバ
１１　カバー
１２　ラック
２０　スライドダンパ
２１　第１フィルタ
２２　第２フィルタ
２３　フィルタ
【図１】
2004069187.tif 000003
【図２】
2004069187.tif 000004
【図３】
2004069187.tif 000005
【図４】
2004069187.tif 000006
【図５】
2004069187.tif 000007